(57)【要約】【課題】  本発明は、無線通信を介して認証要求を受信した際に、情報処理装置へのログイン処理か無線通信を介した外部装置へのログイン処理かをユーザの手間をかけずに切り替えて処理できるようにする情報処理装置を提供する。【解決手段】  情報処理装置は、情報処理装置へのログインがされているか否かを判定し、情報処理装置へのログインがされていない場合は、情報処理装置へのログインを行い、情報処理装置へのログインがされている場合は、外部装置へ認証結果を送信する。【選択図】  図３
2016110512.tif 000002
【特許請求の範囲】
【請求項１】
情報処理装置であって、
外部装置と無線通信を行う無線通信手段と、
前記無線通信を介して前記外部装置から認証要求を受信する第１の受信手段と、
情報処理装置に対するユーザのログイン状態を判定する判定手段と、
前記第１の受信手段によって受信した認証要求に対し認証を許可するか否かを判定する認証手段と、
前記判定手段により前記情報処理装置へログインがされている状態であると判定された場合、前記認証手段による認証結果に従って、前記情報処理装置へのログイン処理を行うログイン手段と、
前記判定手段により前記情報処理装置へログインがされていない状態であると判定された場合、前記認証手段による認証結果を、前記無線通信を介して前記外部装置へ送信する送信手段と、
を有することを特徴とする情報処理装置。
【請求項２】
前記判定手段によって前記情報処理装置にログインがされている状態であると判定された場合、前記第１の受信手段によって受信した認証要求に含まれるユーザの識別情報が、ログインされているユーザの識別情報と同一であるか否かを判定するユーザ判定手段を有することを特徴とする請求項１記載の情報処理装置。
【請求項３】
前記ユーザ判定手段により、前記第１の受信手段によって受信した認証要求に含まれるユーザの識別情報が、ログインされているユーザの識別情報と同一であると判定された場合に、前記認証手段は認証を拒否することを特徴とする請求項２に記載の情報処理装置。
【請求項４】
前記情報処理装置を制御するための設定データを受信する第２の受信手段と、
前記第２の受信手段によって設定データを受信した際に、当該設定データを前記情報処理装置へ反映する反映手段と、
を有することを特徴とする請求項１から３のいずれか１項に記載の情報処理装置。
【請求項５】
前記情報処理装置は、画像処理装置であり、
前記設定データは、前記画像処理装置による画像処理のための設定データであることを特徴とする請求項４記載の情報処理装置。
【請求項６】
原稿上の画像を読み取る読み取り手段を有し、
前記設定データは、前記読み取り手段による画像の読み取りのための設定情報を含むことを特徴とする請求項５記載の情報処理装置。
【請求項７】
画像を印刷する印刷手段を有し、
前記設定データは、前記印刷手段による画像の印刷のための設定情報を含むことを特徴とする請求項５記載の情報処理装置。
【請求項８】
前記無線通信はＮＦＣ（Ｎｅａｒ  Ｆｉｅｌｄ  Ｃｏｍｍｕｎｉｃａｔｉｏｎ）であることを特徴とする請求項１から７のいずれか１項に記載の情報処理装置。
【請求項９】
外部装置と無線通信を行う無線通信部を有する情報処理装置の制御方法であって、
前記無線通信を介して前記外部装置から認証要求を受信する受信工程と、
情報処理装置に対するユーザのログイン状態を判定する判定工程と、
前記受信工程において受信した認証要求に対し認証を許可するか否かを判定する認証工程と、
前記判定工程において前記情報処理装置へログインがされている状態であると判定された場合、前記認証工程における認証結果に従って、前記情報処理装置へのログイン処理を行うログイン工程と、
前記判定工程において前記情報処理装置へログインがされていない状態であると判定された場合、前記認証工程における認証結果を、前記無線通信を介して前記外部装置へ送信する送信工程と、
を有することを特徴とする制御方法。
【請求項１０】
請求項９記載の制御方法をコンピュータに実行させるためのプログラム。
【発明の詳細な説明】
【技術分野】
【０００１】
本発明は、情報処理装置、情報処理装置の制御方法、及びプログラムに関する。
【背景技術】
【０００２】
近年、ＮＦＣ等の近距離無線通信を用いることにより、複合機等の情報処理装置と携帯電話等の携帯端末装置との間でデータを送受信する技術が知られている。送受信するデータは、例えば接続を確立するための接続データや、認証を行うための認証データや、複合機のスキャンやプリントの設定を行うための設定データなどが挙げられる。例えば、データとして認証情報を送受信することで、情報処理装置が有する認証機能により、情報処理装置へのログインを行う技術がある。この技術により携帯端末装置をＩＤカード等の認証装置として利用することが可能となり利便性が高い。
【０００３】
また、特許文献１は、複合機と携帯端末装置とがＮＦＣにより無線接続し、認証情報の送受信を行うことで、携帯情報端末へのログインを行う情報処理装置が開示されている。
【先行技術文献】
【特許文献】
【０００４】
【特許文献１】特開２００９−１３５８６５号公報
【発明の概要】
【発明が解決しようとする課題】
【０００５】
ＮＦＣを用いた通信のために情報処理装置に携帯端末装置を近づけるユースケースとしては、情報処理装置へのログインを行う場合や、携帯端末装置へのログインを行う場合等いくつかのケースが考えられる。しかしながら、従来の情報処理装置では、携帯端末装置とＮＦＣによる通信が確立された際に、情報処理装置へのログインを行うか、携帯端末装置へのログインを行うか、を自動的に判断することはできなかった。
【０００６】
本発明は、外部装置から無線通信により認証要求を受信した際に、情報処理装置へのログイン処理か、外部装置へのログイン処理かをユーザの手間をかけずに切り替えて処理できるようにすることを目的とする。
【課題を解決するための手段】
【０００７】
上記課題を解決するため、本発明は、情報処理装置であって、外部装置と無線通信を行う無線通信手段と、前記無線通信を介して前記外部装置から認証要求を受信する第１の受信手段と、情報処理装置に対するユーザのログイン状態を判定する判定手段と、前記第１の受信手段によって受信した認証要求に対し認証を許可するか否かを判定する認証手段と、前記判定手段により前記情報処理装置へログインがされている状態であると判定された場合、前記認証手段による認証結果に従って、前記情報処理装置へのログイン処理を行うログイン手段と、前記判定手段により前記情報処理装置へログインがされていない状態であると判定された場合、前記認証手段による認証結果を、前記無線通信を介して前記外部装置へ送信する送信手段と、を有することを特徴とする
【発明の効果】
【０００８】
本発明によれば、外部装置から無線通信により認証要求を受信した際に、情報処理装置へのログイン処理か、外部装置へのログイン処理かをユーザの手間をかけずに切り替えて処理するため、ユーザの利便性が向上する。
【図面の簡単な説明】
【０００９】
【図１】本実施形態の情報処理装置を含めたシステム構成例を示す図である。
【図２】本実施形態の情報処理装置のハードウェア構成例を示す図である。
【図３】認証の一連の処理を示すフローチャートである。
【図４】操作部に表示されるログイン前のログイン画面を示す図である。
【図５】操作部に表示されるログインエラー画面を示す図である。
【図６】操作部に表示されるログイン後の基本画面を示す図である。
【図７】操作部に表示される設定反映済み画面を示す図である。
【発明を実施するための形態】
【００１０】
以下、本発明の実施形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【００１１】
（実施形態１）
図１は、本実施形態の情報処理装置を含めたシステム構成例を示す図である。図１では、情報処理装置として、ＭＦＰ（Ｍｕｌｔｉ  Ｆｕｎｃｔｉｏｎ  Ｐｅｒｉｐｈｅｒａｌ）を例にとって説明する。
【００１２】
携帯端末１０２は、モバイル機器や携帯電話に代表される無線通信機能を有する端末装置を示す。
【００１３】
無線通信１０３は、ＩＣカード認証サーバや、ＮＦＣ（Ｎｅａｒ  Ｆｉｅｌｄ  Ｃｏｍｍｕｎｉｃａｔｉｏｎ）に代表される近距離無線通信技術や、無線ＬＡＮに代表される無線ネットワークなど、無線で通信を行う通信技術を示す。
【００１４】
ＭＦＰ１０１は無線通信１０３を利用し、外部装置である携帯端末１０２とデータの受信や送信を行うことができる。
【００１５】
図２は、本実施形態の情報処理装置のハードウェア構成例を示す図である。
【００１６】
ＭＦＰ１０１は、ＣＰＵ２０１、ＲＯＭ２０２、ＲＡＭ２０３、ＨＤＤ２０４、スキャナ２１０、プリンタ２１１、操作部２１２、無線通信部２１３を備える。
【００１７】
ＣＰＵ２０１、ＲＯＭ２０２、ＲＡＭ２０３、ＨＤＤ２０４は、システムバス２２０に接続されている。また、スキャナ２１０、プリンタ２１１、操作部２１２、無線通信部２１３も、システムバス２２０に接続されている。各処理部は、システムバス２２０を介して互いにデータのやりとりを行うことができるように構成されている。ＣＰＵ２０１、ＲＡＭ２０３、及びＲＯＭ２０２はそれぞれ、Ｃｅｎｔｒａｌ  Ｐｒｏｃｅｓｓｉｎｇ  Ｕｎｉｔ、Ｒａｎｄｏｍ  Ａｃｃｅｓｓ  Ｍｅｍｏｒｙ、Ｒｅａｄ  Ｏｎｌｙ  Ｍｅｍｏｒｙの略称である。
【００１８】
ＲＯＭ２０２は、不揮発性のメモリであり、画像データやその他のデータ、ＣＰＵ２０１が動作するための各種プログラムなどが、それぞれ所定の領域に格納される。ＲＡＭ２０３は、揮発性のメモリであり、ＣＰＵ２０１の主メモリ、ワークエリア等の一時記憶領域として用いられる。
【００１９】
ＣＰＵ２０１は、例えばＲＯＭ２０２に格納されるプログラムに従い、ＲＡＭ２０３をワークメモリとして用いて、このＭＦＰ１０１の各部を制御する。なお、ＣＰＵ２０１が動作するためのプログラムは、ＲＯＭ２０２に限らず、ＨＤＤ２０４に予め記憶しておいてもよい。ＨＤＤ２０４はデジタル画像や電子文書や各種プログラムを記憶する。
【００２０】
スキャナ２１０は原稿上の画像を読み取り、画像データを生成する。プリンタ２１１は、操作部２１２を介して受け付けたユーザの指示や無線通信部２１３を介して外部装置から入力されたコマンドに基づいて、画像の印刷処理を実行する。
【００２１】
操作部２１２は、ユーザ操作を受け付け、操作に応じた制御信号を生成し、ＣＰＵ２０１に供給する。例えば、操作部２１２は、入力デバイスとして機能するキーボードや、マウスやタッチパネルを含む。なお、タッチパネルは、例えば平面的に構成された入力部に対して接触された位置に応じた座標情報が出力されるようにした入力デバイスである。なお、タッチパネルはディスプレイと一体的に構成され、ディスプレイとしても機能する。ＣＰＵ２０１は、操作部２１２に対してなされたユーザ操作に応じて生成され供給される制御信号に基づき、プログラムに従いこのＭＦＰ１０１の各部を制御する。これにより、ＭＦＰ１０１はユーザ操作に応じた動作を行うことができる。
【００２２】
無線通信部２１３は、ＣＰＵ２０１の制御に基づき、ＮＦＣ（Ｎｅａｒ  Ｆｉｅｌｄ  Ｃｏｍｍｕｎｉｃａｔｉｏｎ）に代表される非接触ＩＣなどを含む無線通信規格により外部装置と非接触で通信を行うものである。例えば、外部装置である携帯端末１０２の無線通信部からの情報を非接触で読み出す通信制御プログラムを内蔵したリーダ／ライタまたはタグの機能を有する。また、無線通信部２１３は携帯端末１０２の無線通信部と接続を確立し、携帯端末１０２から送信された認証ＩＤ、設定データのうち、少なくとも一つのデータを受信する。認証ＩＤは、ＭＦＰ１０１もしくは携帯端末１０２の利用を、許可するか否かの判定に用いるためのものである。認証ＩＤは、例えば、携帯端末１０２に割り当てられた固有の情報や、携帯端末１０２を所持するユーザを識別する情報や、ユーザを識別する情報とパスワードがセットになったものである。
【００２３】
設定データとは、ＭＦＰ１０１でスキャン、プリンタ等の画像処理に関する設定値として定義されたデータを示す。設定データは、例えば、画像の読み取り濃度や読み取る原稿のサイズ等の読み取りに関する設定情報や、両面／片面印刷や、印刷部数等の印刷に関する設定情報など、ＭＦＰ１０１の制御を指示するものである。受信する設定データは、例えば、携帯端末１０２で予め生成されたものや、ＭＦＰ１０１で生成した設定データを携帯端末１０２に送信して保持されたものである。
【００２４】
ＭＦＰ１０１は、認証処理を行うことでＭＦＰ１０１へのログインや無線通信１０３を利用して接続された携帯端末１０２へのログインを許可することができる。ＣＰＵ２０１は認証機能を有しており、認証要求に対し、認証を許可するか否かを判定し、その結果を応答する。認証要求の送信元は認証結果に従ってログイン処理を行うか否かの判定を行う。
【００２５】
ＭＦＰ１０１へのログインを行う場合は、ＭＦＰ１０１のログインモジュールからＭＦＰ１０１のＣＰＵ２０１が有する認証機能に対し、認証要求を送信する。認証要求を受信した認証機能は、認証処理を行い、結果をＭＦＰ１０１のログインモジュールへ送信する。ＭＦＰ１０１のログインモジュールは認証結果をもとに、認証許可だった場合は、ＭＦＰ１０１へのログイン処理を行う。認証拒否だった場合は、ＭＦＰ１０１へのログイン処理は行わない。
【００２６】
携帯端末１０２へのログインを行う場合は、携帯端末１０２のログインモジュールからＭＦＰ１０１のＣＰＵ２０１が有する認証機能に対し、認証要求を送信する。認証要求を受信した認証機能は、認証処理を行い、結果を携帯端末１０２のログインモジュールへ送信する。携帯端末１０２のログインモジュールは認証結果をもとに、認証許可だった場合は、携帯端末１０２へのログイン処理を行う。認証拒否だった場合は、携帯端末１０２へのログイン処理は行わない。
【００２７】
次に、図３のフローチャートと図４から図７の操作部に表示する各画面を用いて、ＭＦＰ１０１の認証機能によりログインを行う一連の処理について詳細に説明する。
【００２８】
図３の各ステップは、ＭＦＰ１０１のＣＰＵ２０１がプログラムを実行することによって処理される。実行させるプログラムは、ＲＯＭ２０２やＨＤＤ２０４等のメモリに格納されており、ＲＡＭ２０３に展開されて実行される。
【００２９】
Ｓ３０１において、ＣＰＵ２０１は、無線通信部２１３を介した認証要求を受け付ける。認証要求には認証ＩＤ情報が含まれている。認証要求の要求元には、例えば、携帯電話を代表とするＮＦＣ機能を有する電子機器やＩＣカードを代表とする認証クライアント端末がある。認証要求は、無線通信部２１３を介して接続された携帯端末１０２から行われる。また、無線通信部２１３を介してＭＦＰ１０１のＣＰＵ２０１の処理モジュールから認証要求を行われる構成であっても構わない。
【００３０】
Ｓ３０２において、ＣＰＵ２０１は、ＭＦＰ１０１に既にログインしていて、操作部２１２を利用中のユーザがいるか判定する。ＣＰＵ２０１は、ＭＦＰ１０１にユーザがログインしているか否かを判定する機能を有している。ＭＦＰ１０１にユーザが未ログイン状態の場合は、ＭＦＰ１０１の操作部２１２はログイン画面４０１（図４）を表示している。ログイン画面４０１を表示している時は、ＭＦＰ１０１の操作部２１２を介してスキャンやプリントの設定指示を受け付けることはできない。ユーザがＭＦＰ１０１の操作部を介してスキャンやプリントの設定指示を行う場合は、ＭＦＰ１０１にユーザがログイン状態である必要がある。ＭＦＰ１０１にユーザがログイン状態の場合は、ＭＦＰ１０１の操作部２１２はログイン画面４０１から基本画面６０１（図６）へ遷移する。基本画面６０１およびそこから遷移する別画面は、ＭＦＰ１０１の操作部２１２を介してスキャンやプリントの設定指示を受け付けることができる。ＭＦＰ１０１にユーザがログイン状態の場合は、ユーザがＭＦＰ１０１の操作部を介してスキャンやプリントの設定指示を行っていると判定し、未ログイン状態の時はユーザがＭＦＰ１０１を利用していないと判定することができる。
【００３１】
ＣＰＵ２０１は、ＭＦＰ１０１にユーザがログイン状態と判定した場合、処理はＳ３０３へ進む。ＣＰＵ２０１は、ＭＦＰ１０１にユーザが未ログイン状態であると判定した場合、処理はＳ３０７へ進む。
【００３２】
Ｓ３０３において、ＣＰＵ２０１は、認証要求に含まれた認証ＩＤ情報を用いて認証処理を行う。ＣＰＵ２０１は、認証ＩＤ情報を元に認証要求元の装置の利用を認められるＩＤか否かの判定を行う。
【００３３】
認証ＩＤ情報は無線通信部２１３を介して外部装置である携帯端末１０２から送信され、ＭＦＰ１０１が受信する。ＣＰＵ２０１は、メモリ上に記憶されている認証テーブルに基づいて、前記認証ＩＤ情報に基づく認証処理を行う。
【００３４】
なお、認証処理は認証テーブル以外の別の手段を利用して行っても構わない。例えば、認証しようとしているユーザの権限によって認証の許可を決定しても構わない。受信した前記認証ＩＤ情報に含まれるユーザを識別する情報からユーザの権限を読み出し、メモリ上に記憶しているユーザ権限テーブルと照合を行う。予め定義した権限以上の権限を有している場合は、認証を許可すると決定してもよい。また、認証処理を行う際に、ＭＦＰ１０１のスキャナ２１０やプリンタ２１１が動作中か否かを条件に認証の許可を決定してもよい。例えば、ＣＰＵ２０１はプリンタ２１１が動作中であると判定した場合、認証を拒否すると決定してもよい。また、前記認証処理手段はどれか一つに限定することなく、複数の手段を組み合わせて実現してもよい。
【００３５】
ＣＰＵ２０１は、認証を許可すると判定した場合、処理はＳ３０４へ進む。認証を許可しないと判定した場合、処理はＳ３０６へ進む。
【００３６】
Ｓ３０４において、ＣＰＵ２０１は、ＭＦＰ１０１に既にログインしているユーザの識別情報と、今回認証要求で受け付けた認証ＩＤから判定したユーザの識別情報が同一のものであるかのユーザ判定を行う。ユーザの識別情報が同一のものである場合、ＭＦＰ１０１にログインしているユーザと、無線通信部２１３を介して認証してログインしようとしているユーザが同一ユーザであると判定することができる。ＣＰＵ２０１は、ユーザの識別情報が同一ではないと判定した場合、処理はＳ３０５へ進む。ＣＰＵ２０１は、ユーザの識別情報が同一であると判定した場合、処理はＳ３０６へ進む。
【００３７】
Ｓ３０５において、認証を許可すると判定した結果を、無線通信部２１３を介して外部装置である携帯端末１０２へ送信して処理を終了する。
【００３８】
Ｓ３０６において、認証を許可しないと判定した結果を、無線通信部２１３を介して外部装置である携帯端末１０２へ送信して処理を終了する。
【００３９】
携帯端末１０２は認証結果を受信し、認証が許可されていた場合は、携帯端末１０２のＣＰＵは、携帯端末１０２上に表示される画面で要求されるログインを許可する処理を行う。そして、認証が許可されていない場合は、携帯端末１０２のＣＰＵは、携帯端末１０２上に表示される画面で要求されるログインを許可しない処理を行うことが可能となる。
【００４０】
Ｓ３０７において、ＣＰＵ２０１は、認証要求に含まれた認証ＩＤ情報を用いて認証処理を行う。ＣＰＵ２０１は、認証ＩＤ情報に基づいてＭＦＰ１０１の利用を認められるＩＤか否かの判定を行う。ＣＰＵ２０１は、受け付けた認証ＩＤが認証を許可すると判定した場合、処理はＳ３１０へ進む。認証を許可しないと判定した場合、処理はＳ３０８へ進む。
【００４１】
Ｓ３０８において、ＣＰＵ２０１は、ＭＦＰ１０１の操作部２１２にログインエラー画面５０１（図５）を表示し、処理はＳ３０９へ進む。
【００４２】
Ｓ３０９において、ＣＰＵ２０１は、認証要求元である携帯端末１０２へ認証結果を送信して処理を終了する。
【００４３】
Ｓ３１０においてＣＰＵ２０１は、ＭＦＰ１０１へのログイン処理を行う。ログイン処理を行った結果、ＣＰＵ２０１は、ＭＦＰ１０１の操作部２１２の画面をログイン画面４０１から基本画面６０１へ遷移させ、処理はＳ３１１へ進む。
【００４４】
Ｓ３１１において、ＣＰＵ２０１は、認証要求元である携帯端末１０２へ認証結果を送信して処理はＳ３１２へ進む。
【００４５】
Ｓ３１２において、ＣＰＵ２０１は、携帯端末１０２からの設定データの送信要求があるか否かを判定する。ＣＰＵ２０１は、設定データの送信要求があると判定した場合、処理はＳ３１３へ進む。ＣＰＵ２０１は、設定データの送信要求がないと判定した場合、処理を終了する。
【００４６】
Ｓ３１３において、ＣＰＵ２０１は、設定データを受信し、処理はＳ３１４へ進む。
【００４７】
Ｓ３１４において、ＣＰＵ２０１は、設定データをＭＦＰ１０１へ設定反映する。ＭＦＰ１０１への設定反映とは、例えば部数を２部で印刷指示する設定を印刷設定としてＲＡＭ２０３へ記録することである。そして、ＣＰＵ２０１が印刷指示を受信した場合、ＲＡＭ２０３へ記録された設定値を用いてプリンタ２１１は印刷処理を行う。ＣＰＵ２０１は受信した設定データをＲＡＭ２０３へ記録する。また、ＣＰＵ２０１は記録された設定値をＭＦＰ１０１の操作部２１２の画面表示に反映する。例えば、受信した設定データが、部数を２部で印刷指示し、印刷濃度を濃くして印刷指示する設定であった場合、操作部２１２の画面は設定反映済み画面７０１（図７）へ遷移する。設定反映済み画面７０１は、印刷設定が反映されており、印刷開始指示が可能な画面である。なお、設定変更済み画面へ遷移する前の画面は限定せず、どの画面であっても構わない。
【００４８】
以上のように、本実施形態によれば、ＣＰＵ２０１はＭＦＰ１０１へのログイン状態によって、ＭＦＰ１０１へのログインを行う処理をするか携帯端末１０２へのログインを行う処理をするかを切り替えることができるようになる。さらに、一連の処理において、携帯端末１０２によって設定された設定データをＭＦＰ１０１へ反映するかも切り替えることができるようになる。これにより、ＭＦＰ１０１へのログインをしたいユーザは、ＭＦＰ１０１に他のユーザがログインしていないときに携帯端末１０２をＭＦＰ１０１の無線通信部２１３にかざすことで、ＭＦＰ１０１へのログインを行うことができる。そして、携帯端末１０２へのログインを行いたいユーザは、ＭＦＰ１０１に他のユーザがログインしているときに携帯端末１０２をＭＦＰ１０１の無線通信部２１３にかざすことで、携帯端末１０２へのログインを行うことができる。このように、ＭＦＰ１０１へのログインする際も携帯端末１０２へのログインする際も同じ操作でそれぞれの処理を切り替えることができ、ユーザは手間をかけずに所望する操作を実行することができる。なぜなら、ＭＦＰ１０１へログインして操作部２１２を利用しているユーザがいる場合は、他のユーザは操作部２１２を利用することができない状態である。そしてその状態でＭＦＰ１０１が認証要求を受信した場合、ユーザは携帯端末１０２へのログインをしたいユースケースであると想定できるからである。ＭＦＰ１０１へログインして操作部２１２を利用しているユーザがいない場合は、携帯端末１０２をＩＤカードの代替として使って無線通信部２１３を介してＭＦＰ１０１へのログインをしたいユースケースであると想定できる。さらに、携帯端末１０２をＭＦＰ１０１の無線通信部２１３にかざして通信を行うという同じ操作で、設定データを携帯端末１０２からＭＦＰ１０１へ通信し送信することができるようになる。これは、一度携帯端末１０２へのログインを行って、設定データを作成し、作成した設定データをＭＦＰ１０１へ渡すユースケースを満たすことになる。
【００４９】
さらにＳ３０４の処理により、ＭＦＰ１０１に対しても携帯端末１０２に対しても同時に同じユーザでログインするというユーザが想定していない処理を防止することで、ユーザの利便性を向上することができるようになる。
【００５０】
（その他の実施形態）
上記実施形態ではスキャナ機能、プリント機能等の複数の機能を有するＭＦＰ１０１を例として説明したが、このうち一部の機能のみを有する画像処理装置にも本発明は適用可能である。また、パーソナルコンピュータやＰＤＡ、携帯電話、ＦＡＸ、カメラ、ビデオカメラ、その他の画像ビューワ等、他の情報処理装置に適用しても構わない。
【００５１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのコンピュータプログラム、及び該コンピュータプログラムを記憶した記憶媒体は本発明を構成することになる。
【符号の説明】
【００５２】
１０１  ＭＦＰ
１０２  携帯端末
２０１  ＣＰＵ
２１０  スキャナ
２１１  プリンタ
【図１】
2016110512.tif 000003
【図２】
2016110512.tif 000004
【図３】
2016110512.tif 000005
【図４】
2016110512.tif 000006
【図５】
2016110512.tif 000007
【図６】
2016110512.tif 000008
【図７】
2016110512.tif 000009